(57)【特許請求の範囲】
【請求項１】
画像を表示する表示面を備える表示部と、
前記表示部からの光を透過する複数の透過領域と、前記表示部からの光を制限する複数の非透過領域とが切り替え可能に設けられた視差調整部と、を有し、
前記透過領域と前記非透過領域とは交互に配列され、前記透過領域と前記非透過領域とが交互に配列される第１の方向に対して交差する第２の方向に、前記透過領域と前記非透過領域とは延出しており、
前記表示部を観察する観察者の、前記表示面に対して鉛直方向の位置情報に基づいて、複数の前記透過領域のうち一部の前記透過領域、又は複数の前記非透過領域のうち一部の前記非透過領域の前記第１の方向の幅を変化させ、
前記位置情報に基づいて、複数の前記透過領域又は複数の前記非透過領域のうち幅を変化させる前記透過領域又は前記非透過領域の個数を決定する表示装置。
【請求項２】
前記位置情報に基づいて、前記透過領域と前記非透過領域とを切り換える制御部を有する請求項１に記載の表示装置。
【請求項３】
幅が変化する前記透過領域又は前記非透過領域を、前記第１の方向において均等に配置する請求項１又は請求項２に記載の表示装置。
【請求項４】
幅が変化する前記透過領域又は前記非透過領域を、前記表示面の前記第１の方向の中心に対して対称に配置する請求項１から請求項３のいずれか１項に記載の表示装置。
【請求項５】
前記視差調整部は、液晶層を挟む第１の基板及び第２の基板と、
前記第１の基板の前記第２の基板と対向する面に設けられた、ストライプ状の複数の第１の電極と、
前記第２の基板に設けられ、複数の前記第１の電極と対向する第２の電極とを有し、
複数の前記透過領域及び複数の前記非透過領域のそれぞれにおいて、前記第１の電極が１つ又は複数隣り合っており、
前記第１の電極と前記第２の電極との間に印加される電界により、前記液晶層の液晶分子の配向を変化させることで、前記透過領域と前記非透過領域とを切り換える請求項１に記載の表示装置。
【請求項６】
前記視差調整部と、前記表示部を観察する観察者との間の、前記表示面に対して鉛直方向の距離が、前記観察者の基準位置に比べて小さい場合には、
前記非透過領域における複数の前記第１の電極のうち外側に位置する第１の電極に対応する前記非透過領域を前記透過領域に切り換えることにより、複数の前記非透過領域のうち一部の前記非透過領域の幅を小さくする請求項５に記載の表示装置。
【請求項７】
前記視差調整部と、前記表示部を観察する観察者との間の、前記表示面に対して鉛直方向の距離が、前記観察者の基準位置に比べて大きい場合には、
前記非透過領域における複数の前記第１の電極の隣りに位置する第１の電極に対応する前記透過領域を前記非透過領域に切り換えることにより、複数の前記非透過領域のうち一部の前記非透過領域の幅を大きくする請求項５に記載の表示装置。
【請求項８】
前記視差調整部は、前記第１の方向の両端が前記非透過領域である請求項１から請求項７のいずれか１項に記載の表示装置。
【請求項９】
前記位置情報は、前記表示面の鉛直方向に対する、前記観察者の位置の角度の情報を含む請求項１から請求項８のいずれか１項に記載の表示装置。
【請求項１０】
前記観察者の前記角度の情報に基づいて、前記透過領域及び前記非透過領域の位置を変える請求項９に記載の表示装置。
【請求項１１】
前記位置情報は、前記観察者の基準位置と、前記観察者の位置との、前記表示面の鉛直方向の距離の情報を含む請求項１から請求項１０のいずれか１項に記載の表示装置。
【請求項１２】
前記観察者を撮像する撮像手段と、
前記撮像手段からの画像データに基づいて前記観察者の前記位置情報を取得する位置情報取得手段を有する請求項１から請求項１１のいずれか１項に記載の表示装置。
【請求項１３】
前記表示部は、右眼用画像と左眼用画像とを分割して前記第１の方向に交互に表示する請求項１から請求項１２のいずれか１項に記載の表示装置。
【請求項１４】
幅が変化する前記透過領域又は前記非透過領域に対応して、前記表示部の前記右眼用画像と前記左眼用画像とを切り換える請求項１３に記載の表示装置。
【請求項１５】
前記視差調整部は、前記観察者に前記表示部の画像を立体的に視認させる三次元表示と、前記観察者に前記表示部の画像を平面的に視認させる二次元表示とを切り換え可能である請求項１に記載の表示装置。
【請求項１６】
画像を表示する表示面を備える表示部と、
前記表示部からの光を透過する複数の透過領域と、前記表示部からの光を制限する複数の非透過領域とが切り替え可能に設けられた視差調整部と、を有し、
前記透過領域と前記非透過領域とは交互に配列され、前記透過領域と前記非透過領域とが交互に配列される第１の方向に対して交差する第２の方向に、前記透過領域と前記非透過領域とは延出しており、
前記表示部を観察する観察者の、前記表示面に対して鉛直方向の位置情報に基づいて、複数の前記透過領域のうち一部の前記透過領域、又は複数の前記非透過領域のうち一部の前記非透過領域の前記第１の方向の幅を変化させ、
前記位置情報に基づいて、前記透過領域と前記非透過領域とを切り換える制御部と、
前記制御部からの駆動信号を受け取って前記視差調整部を駆動する駆動部を有し、
前記駆動部は、シフトレジスタと、第１ラッチと、第２ラッチと、バッファとを有し、
前記シフトレジスタは前記制御部からの前記駆動信号を受け取って、前記第１ラッチ及び前記第２ラッチは前記シフトレジスタからの信号を順次記憶して、前記バッファは前記第２ラッチからの信号を一時的に蓄積して前記視差調整部に出力する表示装置。
【請求項１７】
画像を表示する表示面を備える表示部と、前記表示部からの光を透過する透過領域と、前記表示部からの光を遮蔽する非透過領域とが、交互に配列された視差調整部と、を有し、前記透過領域と前記非透過領域とは交互に配列され、前記透過領域と前記非透過領域とが交互に配列される第１の方向に対して直交する第２の方向に、前記透過領域と前記非透過領域とが延出する表示装置の制御方法であって、
前記表示部を観察する観察者の、前記表示面に対して鉛直方向の位置情報に基づいて、複数の前記透過領域又は複数の前記非透過領域のうち一部の前記透過領域、又は前記非透過領域の幅を変化させ、
前記位置情報に基づいて、複数の前記透過領域又は複数の前記非透過領域のうち幅を変化させる前記透過領域又は前記非透過領域の個数を決定する表示装置の制御方法。
【発明の詳細な説明】
【技術分野】
【０００１】
本発明は、画像を表示する表示装置及びその制御方法に関する。
【背景技術】
【０００２】
液晶表示装置（ＬＣＤ：Ｌｉｑｕｉｄ  Ｃｒｙｓｔａｌ  Ｄｉｓｐｌａｙ）を含む表示装置には、観察者が裸眼で立体画像を視認することができる装置がある。下記特許文献１には、右眼用画像と左眼用画像とを分割して交互に配置して表示する表示部と、表示部の前面側に視差バリアを形成するバリア部とを備えたパララックスバリア方式の表示装置が記載されている。特許文献１に記載されている表示装置は、観察者と表示部との距離に応じてバリア部のスリット幅を制御して、表示画像の立体視が可能な表示画像に対する前後方向の距離範囲を拡大する。
【先行技術文献】
【特許文献】
【０００３】
【特許文献１】特開２０１１−５３２７７号公報
【発明の概要】
【発明が解決しようとする課題】
【０００４】
特許文献１に記載されている表示装置は、複数のスリット部の幅を均等に変更することにより視差バリアを制御している。これにより、立体視が可能な前後方向の範囲は拡大できるものの、バリア部の開口率の変化が増大するため、表示する画像の制御や輝度の調整が困難になる可能性がある。
【０００５】
本発明は、表示装置の表示面に対する前後方向の視点位置の変動に対して、立体視が可能な前後方向の範囲を拡大することが可能な表示装置及びその制御方法を提供することを目的とする。
【課題を解決するための手段】
【０００６】
本発明の一態様の表示装置は、画像を表示する表示面を備える表示部と、前記表示部からの光を透過する複数の透過領域と、前記表示部からの光を制限する複数の非透過領域とが切り替え可能に設けられた視差調整部と、を有し、前記透過領域と前記非透過領域とは交互に配列され、前記透過領域と前記非透過領域とが交互に配列される第１の方向に対して交差する第２の方向に、前記透過領域と前記非透過領域とは延出しており、前記表示部を観察する観察者の、前記表示面に対して鉛直方向の位置情報に基づいて、複数の前記透過領域のうち一部の前記透過領域、又は複数の前記非透過領域のうち一部の前記非透過領域の前記第１の方向の幅を変化させる。
【０００７】
本発明の一態様の表示装置の制御方法は、画像を表示する表示面を備える表示部と、前記表示部からの光を透過する透過領域と、前記表示部からの光を遮蔽する非透過領域とが、交互に配列された視差調整部と、を有し、前記透過領域と前記非透過領域とは交互に配列され、前記透過領域と前記非透過領域とが交互に配列される第１の方向に対して直交する第２の方向に、前記透過領域と前記非透過領域とが延出する表示装置の制御方法であって、前記表示部を観察する観察者の、前記表示面に対して鉛直方向の位置情報に基づいて、複数の前記透過領域又は複数の前記非透過領域のうち一部の前記透過領域、又は前記非透過領域の幅を変化させる。
【図面の簡単な説明】
【０００８】
【図１】図１は、実施形態に係る表示装置の分解斜視図である。
【図２】図２は、実施形態に係る表示装置の概略断面構造を示す断面図である。
【図３】図３は、画素の模式図である。
【図４】図４は、表示部に表示される右眼用画像と左眼用画像の表示の一例を示す模式図である。
【図５】図５は、バリア部と表示部との断面構造を模式的に示す断面図である。
【図６】図６は、観察者の視線とバリア部との関係を説明するための説明図である。
【図７】図７は、実施形態に係る表示装置の機能構成の一例を示すブロック図である。
【図８】図８は、観察者が表示面に対して左右方向に移動した場合の、表示装置の制御方法の概念を示す図である。
【図９】図９は、観察者が表示面に対して前後方向に移動した場合の、観察者の視線とバリア部との関係を説明するための説明図である。
【図１０】図１０は、実施形態に係る表示装置の制御方法の一例を説明するためのフローチャートである。
【図１１】図１１は、観察者が表示面に対して前後方向に移動した場合の、表示装置の制御方法の概念を示す図である。
【図１２】図１２は、観察者が表示面に対して前後方向に近づいた場合の、バリア部の制御方法の一例を示す図である。
【図１３】図１３は、観察者が表示面に対して前後方向に離れた場合の、バリア部の制御方法の一例を示す図である。
【図１４】図１４は、バリア部の透過領域の位置の制御方法を模式的に説明するための説明図である。
【図１５】図１５は、バリア部を駆動する駆動部の機能構成の一例を示すブロック図である。
【発明を実施するための形態】
【０００９】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
図１は、実施形態に係る表示装置の分解斜視図である。図２は、実施形態に係る表示装置の概略断面構造を示す断面図である。本実施形態の表示装置１は、画像を表示する表示面４Ｓを備えた表示部４と、表示部４の下方に設けられた照明部２と、表示部４の表示面４Ｓ側に設けられたバリア部６とを有する。バリア部６は、視差を調整する視差調整部である。以下の説明においては、ＸＹＺ直交座標系を設定し、このＸＹＺ直交座標系を参照しつつ各部の位置関係について説明する。水平面内の一方向としてＸ軸方向を左右方向といい、水平面内においてＸ軸方向と交差する方向としてＹ軸方向を縦方向といい、Ｘ軸方向及びＹ軸方向のそれぞれと交差するＺ軸方向を前後方向とする。
【００１１】
表示部４は、図１に示すように複数の画素５０がＸ方向及びＹ方向に二次元配列で配置された液晶パネルである。例えば、画素５０は、図１に示すＸ方向にＭ個配列されている。第ｍ列目（但し、ｍ＝１、２・・・、Ｍ）の画素５０を、画素５０ｍと表す。同様に、画素５０は、Ｙ方向にも複数配列されている。照明部２から出射された光が、表示部４に入射する。表示部４は、各画素５０に入射される光を透過させるか、遮蔽させるかを切り換えることで、表示面４Ｓに画像を表示させる。
【００１２】
照明部２は、表示部４に向けて面状の光を出射する照明装置である。照明部２は、例えば表示部４のバックライトとして設けられる。照明部２は、例えば、光源と導光板とを有する。照明部２は、光源から出射された光を、導光板で散乱させて表示部４と対面する出射面から出射する。照明部２は、広く周知の照明部を用いることができる。照明部２は、特に限定するものではない。なお、表示部４は、反射型の表示部であってもよく、例えば、照明部２を設けずに外光を反射させることにより画像を表示させる反射型の表示部や、照明部２からの透過光と、外光の反射光とを切り換えて画像を表示させる半透過型の表示部や、照明部２を表示面４Ｓ側に設けて、照明部２からの光を反射させることにより画像を表示させるフロントライト型の表示部であってもよい。
【００１３】
バリア部６は、表示部４からの光を透過する複数の透過領域６１と、表示部４からの光を遮蔽する複数の非透過領域６２とを有する。透過領域６１と非透過領域６２とは、図１に示すＸ方向に交互に配列され、Ｙ方向に延出している。バリア部６は、例えば、第１の基板１２１と第２の基板１３１との間に配置された液晶層１６０を備える液晶パネルであり、部分的に電圧を印加して液晶を配向させる。このような動作により、バリア部６は、透過領域６１と非透過領域６２とを切り換えることができる。なお、バリア部６は、可変レンズアレイを配置して、光の屈折率を変化させることにより透過領域と非透過領域とを切り換える、液晶レンズであってもよい。
【００１４】
図２に示すように、表示部４は、画素基板２０と、この画素基板２０の表面に垂直な方向に対向して配置された対向基板３０と、画素基板２０と対向基板３０との間に配置された液晶層４０とを備えている。
【００１５】
画素基板２０は、回路基板としてのＴＦＴ基板２１と、このＴＦＴ基板２１の表面に形成された複数の共通電極２３と、絶縁層２４を介して複数の共通電極２３の上に形成された複数の画素電極２２とを有する。複数の画素電極２２は、ＴＦＴ基板２１の上においてマトリクス状に配置される。なお、画素電極２２及び共通電極２３は、同一平面上に設けられていてもよく、また、画素電極２２の上方に共通電極２３が設けられていてもよい。
【００１６】
ＴＦＴ基板２１には、各画素５０のそれぞれに設けられた薄膜トランジスタ（ＴＦＴ：Ｔｈｉｎ  Ｆｉｌｍ  Ｔｒａｎｓｉｔｏｒ）素子、各画素電極２２に画素信号を供給する画素信号線、各ＴＦＴ素子を駆動する走査信号線等の配線が形成されている（図２には省略して示す）。ＴＦＴ素子は、例えば、ｎチャネルのＭＯＳ（Ｍｅｔａｌ  Ｏｘｉｄｅ  Ｓｅｍｉｃｏｎｄｕｃｔｏｒ）型のＴＦＴ素子で構成されている。
【００１７】
画素５０は、図１に示すように、Ｘ方向及びＹ方向に配列されており、共通電極２３により、画素基板２０の少なくとも同じ行に属する他の画素５０と互いに接続されている。つまり、同じ一行に属する複数の画素５０が１つの共通電極２３を共有するようになっている。共通電極２３は共通電極ドライバと接続され、共通電極２３を通して複数の画素５０に対して共通電位が供給される。
【００１８】
液晶層４０は、電界の状態に応じてそこを通過する光を変調するものである。本実施形態の表示部４は、例えば、ＩＰＳ（インプレーンスイッチング）等の横電界モードの液晶表示パネルであり、液晶層４０に用いられる液晶も当該液晶表示パネルに適した液晶である。なお、表示部４は、横電界モードの液晶表示パネルに限られず、縦電界モードの液晶表示パネルでもよい。液晶層４０を構成する液晶も、表示部４を構成する液晶表示パネルに応じて適宜変更してよい。例えば、液晶層４０に用いられる液晶は、ＴＮ（Ｔｗｉｓｔｅｄ  Ｎｅｍａｔｉｃ：ツイステッドネマティック）、ＶＡ（Ｖｉｒｔｉｃａｌ  Ａｌｉｇｎｍｅｎｔ：垂直配向）、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ：電界制御複屈折）等の各種モードの液晶でもよい。液晶層４０と画素基板２０との間に配向膜（図示しない）が設けられ、液晶層４０と対向基板３０との間に配向膜（図示しない）が設けられる。
【００１９】
図２に示すように、対向基板３０は、ガラス基板３１と、このガラス基板３１の一方の面に形成されたカラーフィルタ３２とを含む。ＴＦＴ基板２１とカラーフィルタ３２とは、シール部４１によって接着されている。カラーフィルタ３２は、ＴＦＴ基板２１の表面に対して鉛直な方向において、液晶層４０と対向する。ガラス基板３１の他方の面には、偏光板３５が配設されている。また、偏光板３５のガラス基板３１側とは反対側の面には、接着層４２によって、バリア部６が接着されている。なお、バリア部６は接着層４２を介さずに、直接、対向基板３０に設けてもよい。また、カラーフィルタ３２は、画素基板２０側に形成されてもよい。
【００２０】
カラーフィルタ３２は、例えば赤（Ｒ）、緑（Ｇ）、青（Ｂ）の３色に着色されたカラーフィルタが周期的に配列されて、上述した各画素５０にＲ、Ｇ、Ｂの３色が１組として対応付けられている。図３は、画素の模式図である。カラー画像を形成する単位となる１個の画素５０は、例えば、複数の副画素（サブピクセル）を含む。この例では、画素５０は、Ｒを表示する副画素（Ｒ）と、Ｂを表示する副画素（Ｂ）と、Ｇを表示する副画素（Ｇ）とを含む。画素５０が有する副画素（Ｒ）、（Ｂ）、（Ｇ）は、Ｘ方向、すなわち表示装置１の行方向に向かって配列される。なお、カラーフィルタ３２は、異なる色に着色されていれば、他の色の組み合わせであってもよい。１つの画素は、３副画素以上、例えば４副画素を含んでいてもよい。副画素の配列方向は、Ｘ方向に限定されるものではなく、Ｙ方向に配列されていてもよく、又は、ＸＹ方向に配列されていてもよい。表示装置１は、カラー表示対応の表示装置に限定されず、モノクロ表示対応の表示装置及びカラー表示対応の表示装置のいずれにも適用できる。
【００２１】
次に、バリア部６の構成例を説明する。図２に示すように、バリア部６は、第１の基板１２１と、第２の基板１３１とを有し、第１の基板１２１と第２の基板１３１とは、シール部１４０によって接着されている。第１の基板１２１の上方に複数の第１の電極１２２が列状に配設されている。また、第２の基板１３１の第１の電極１２２側に第２の電極１３３が配置されており、第２の基板１３１の他方の面に偏光板１３５が配置されている。
【００２２】
第１の電極１２２は、図１に示す透過領域６１及び非透過領域６２に対応して複数設けられた電極である。第１の電極１２２は、図１に示す透過領域６１及び非透過領域６２と同様に、Ｙ方向に沿って延出する細長い板形状であり、Ｘ方向に複数列状に配置されている。すなわち、第１の電極１２２は、画素５０の副画素（Ｒ）、（Ｂ）、（Ｇ）が配列される方向であるＸ方向において、間隔を設けて複数配置され、各画素５０の少なくとも一部とそれぞれ重なりあって配置される。また、第１の電極１２２は、Ｙ方向に配列された各画素５０に沿って延出して形成され、Ｙ方向に並ぶ各画素５０の少なくとも一部とそれぞれ重なりあっている。第２の電極１３３は、複数の第１の電極１２２と対向しており、連続して形成された共通電極である。なお、第２の電極１３３は、複数の第１の電極１２２のそれぞれに対向して、複数に分割されていてもよい。
【００２３】
第２の基板１３１の第２の電極１３３側の面と、第１の基板１２１の第１の電極１２２側の面とで挟まれた領域には、液晶層１６０が充填されている。液晶層１６０は、電界の状態に応じてそこを通過する光を変調するものである。液晶層１６０は、本実施形態においては、例えば、ＴＮ、ＶＡ、ＥＣＢ等の各種モードの液晶表示パネルが用いられるが、これに限定されるものではなく、横電界モードの液晶表示パネルを用いてもよい。例えば、ＩＰＳ等の横電界モードの液晶を用いてもよい。液晶層１６０と第１の基板１２１との間、及び液晶層１６０と第２の基板１３１との間には、それぞれ配向膜（図示しない）が配設されている。配向膜は、例えばポリイミドを用いて形成され、それぞれラビング処理が施されている。配向膜により液晶層１６０の液晶分子の配向方向が規制される。また、第１の基板１２１の下面側、つまり表示部４側には入射側偏光板が配置されてもよい。
【００２４】
図４は、表示部に表示される右眼用画像と左眼用画像の表示の一例を示す模式図である。図５は、バリア部と表示部との断面構造を模式的に示す断面図である。図６は、観察者の視線とバリア部との関係を説明するための説明図である。図４に示すように、表示部４は、観察者が三次元画像を認識することができるように、複数の視点の各々に対応する画像（例えば左眼用画像Ｐ１及び右眼用画像Ｐ２）を一画面内に表示する。左眼用画像Ｐ１と右眼用画像Ｐ２とは、Ｘ１方向において交互に表示される。なお、本実施形態において、図４に示す左眼用画像Ｐ１及び右眼用画像Ｐ２の各画素は、それぞれ、図３に示すような３つの副画素（Ｒ）、（Ｂ）、（Ｇ）を有する画素５０である。若しくは、左眼用画像Ｐ１及び右眼用画像Ｐ２の各画素は、３つの副画素（Ｒ）、（Ｂ）、（Ｇ）のうち、１つの副画素（Ｒ）等であってもよい。
【００２５】
図５に示すように、バリア部６は、１つの第１の電極１２２（図５には図示しない）に対応する単位領域６０が、複数配列されている。バリア部６は、単位領域６０ごとに、図２に示す液晶層１６０に印加する電界を制御して、透過領域６１と非透過領域６２とを切り換え可能になっている。単位領域６０は、例えば、単位領域６０１から単位領域６０ＮまでＮ個配列されている。第ｎ列目（但し、ｎ＝１、２・・・、Ｎ）の単位領域６０を、単位領域６０ｎと表す。
【００２６】
図５に示すように、バリア部６の透過領域６１及び非透過領域６２は、それぞれ複数の単位領域６０を有している。また、透過領域６１と非透過領域６２とはＸ方向に交互に設けられている。図５に示すように、透過領域６１が繰り返し設けられる間隔をバリアピッチ６５とする。本実施形態において、１つのバリアピッチ６５は、６つの単位領域６０の幅である。この６つの単位領域は、それぞれ２つの単位領域６０を有する非透過領域６２、６２と、非透過領域６２、６２に挟まれた２つの単位領域６０を有する透過領域６１とを備える。バリアピッチ６５は、例えば、透過領域６１を挟んで隣り合う２つの非透過領域６２について、一方の非透過領域６２の中点と他方の非透過領域６２の中点との間隔である。
【００２７】
なお、図５に示す各バリアピッチ６５は、６個の単位領域６０の幅（すなわち、図２に示す第１の電極１２２の６本分の幅）を有しているが、模式的に示したものでありこれに限定されない。バリアピッチ６５の幅、単位領域６０の個数は適宜変更することができる。また、図５は、透過領域６１のバリアピッチ６５と、左眼用画像Ｐ１及び右眼用画像Ｐ２のピッチとを等しいピッチで示しているが、実際には、異なるピッチで設けられている。表示部４の左眼用画像Ｐ１及び右眼用画像Ｐ２のピッチに対して、バリア部６のバリアピッチ６５が小さくなっている。
【００２８】
図６に示すように、バリア部６の透過領域６１と非透過領域６２とを設けることにより、観察者の左眼は、透過領域６１を介して左眼用画像Ｐ１を視認する。右眼用画像Ｐ２は、非透過領域６２により遮蔽され観察者の左眼に視認されない。同様に、観察者の右眼は、透過領域６１を介して右眼用画像Ｐ２を視認する。また、左眼用画像Ｐ１は非透過領域６２により遮蔽され、観察者の右眼に視認されない。なお、図６は見やすくするために観察者の右眼の視線とバリア部６との関係は省略して示している。バリア部６により視差を形成することにより、所定位置から表示部４の表示面４Ｓを見ている観察者が、裸眼で三次元画像を認識できる。上述のように、バリア部６は、透過領域６１と非透過領域６２とが切り換え可能である。このため、バリア部６は、視差を形成することで表示部４の表示画像を観察者に立体的に視認させる三次元表示と、視差を形成せずに表示部４の表示画像を観察者に平面的に視認させる二次元表示とを切り換え可能である。少なくとも二次元表示の場合において、バリア部６は全領域を透過領域６１にして、表示画像を透過させる。
【００２９】
図７は、実施形態に係る表示装置の機能構成の一例を示すブロック図である。図７に示すように、制御部７は、表示装置１の照明部２、表示部４、及びバリア部６を制御する。また、制御部７は、撮像部８により取得した画像の情報に基づいて、観察者の位置情報を算出する位置情報取得手段（図示しない）を備える。なお、位置情報取得手段は、例えば撮像部８と一体に設ける等、制御部７とは別に設けてもよい。本実施形態において、いわゆるヘッドトラッキング技術又はアイトラッキング技術等が利用される。撮像部８により取得した観察者の画像情報に基づいて、位置情報取得手段が観察者の位置情報を算出する。制御部７は、外部若しくは内部の位置情報取得手段が算出した観察者の位置情報に応じて、照明部２、表示部４、及びバリア部６を制御して三次元画像を表示する。
【００３０】
本実施形態において、撮像部８が利用者の画像を取得する。撮像部８は、例えば、デジタルカメラが用いられる。なお、本実施形態では撮像部８によって撮像した画像に基づき、利用者の位置情報を取得しているが、位置情報の取得方法はこれに限られない。例えば、赤外線センサ等の温度センサ、マイク等の音声センサ、光学センサ等のいずれか又は複数を用いて利用者の位置情報を取得してもよい。
【００３１】
制御部７の外部若しくは内部に備えられた位置情報取得手段は、撮像部８の画像情報から、画像内の利用者の位置、例えば、利用者の右眼及び左眼の位置を検出又は計測し、表示面４Ｓに対するＸＹＺ座標を算出する。制御部７は、位置情報取得手段が算出した観察者の位置情報に基づいて、表示装置１の照明部２の点灯及び消灯や、点灯時の光量及び光の強度を制御し、表示部４に表示させる画像を制御し、バリア部６の透過領域６１及び非透過領域６２を制御する。
【００３２】
図８は、観察者が表示面に対して左右方向に移動した場合の、表示装置の制御方法の概念を示す図である。制御部７の外部若しくは内部に備えられた位置情報取得手段は、初期状態Ｑ１における観察者Ｕ１の右眼ＲＥ及び左眼ＬＥの位置と表示装置１との距離を算出する。続いて、制御部７は、位置情報取得手段が算出した右眼ＲＥ及び左眼ＬＥの位置並びに距離に応じて、表示部４における画像の表示を決定する。制御部７は、例えば図４に示すように、左眼用画像Ｐ１と右眼用画像Ｐ２とがＸ方向に交互に表示されるように、表示を決定する。なお、左眼用画像Ｐ１と右眼用画像Ｐ２との表示方法は特に限定されず、利用者Ｕ１が左眼ＬＥ及び右眼ＲＥの視差を確保できるものであれば良い。そして、制御部７は、バリア部６の透過領域６１と非透過領域６２を決定し、図５に示す単位領域６０１〜６０Ｎのそれぞれについて透過領域６１と非透過領域６２との切り換えを実行する。これにより、例えば、図８に示すように、左眼用画像Ｐ１がバリア部６を介して利用者Ｕ１の左眼ＬＥにより視認され、右眼用画像Ｐ２がバリア部６を介して利用者Ｕ１の右眼ＲＥにより視認される。なお、バリア部６の透過領域６１と非透過領域６２との切り換えと、表示部４における左眼用画像Ｐ１と右眼用画像Ｐ２との切り換えとは、同時若しくはほぼ同時に実行され、上記の順番に特に限定されない。
【００３３】
続いて、図８に示すように、観察者Ｕ１の位置がＸ方向に移動した状態Ｑ２において、制御部７の外部若しくは内部に備えられた位置情報取得手段は、撮像部８が取得した画像データから、利用者Ｕ１の右眼ＲＥ及び左眼ＬＥの位置から、観察者の位置を算出する。そして、制御部７は、位置情報取得手段が算出した右眼ＲＥ及び左眼ＬＥの位置に応じて、左眼用画像Ｐ１及び右眼用画像Ｐ２の表示を変更する。すなわち、図８に示す状態Ｑ２において、制御部７は、バリア部６の透過領域６１と非透過領域６２との切り換えを制御することにより、移動位置Ｑ２における右眼ＲＥの位置に対して右眼用画像Ｐ２が視認され、左眼ＬＥの位置に対して左眼用画像Ｐ１が視認されることで、観察者は、三次元で画像を視認する。なお、バリア部６の透過領域６１と非透過領域６２との切替制御と同時若しくはほぼ同時に、左眼用画像Ｐ１の画素列と、右眼用画像Ｐ２の画素列との位置を変更してもよい。
【００３４】
図９は、観察者が表示面に対して前後方向に移動した場合の、観察者の視線とバリア部との関係を説明するための説明図である。図９に示すように、観察者が前後方向に移動した場合に、観察者の視線と、表示部４の表示画像との間における透過領域６１及び非透過領域６２にずれが生じる。そのため、観察者の左眼に右眼用画像Ｐ２の一部が視認され、クロストークが発生する可能性がある。
【００３５】
次に、観察者が表示面４Ｓに対して前後方向に移動した場合の、バリア部６の制御方法について説明する。図１０は、実施形態に係る表示装置の制御方法の一例を説明するためのフローチャートである。図１１は、観察者が表示面に対して前後方向に移動した場合の、表示装置の制御方法の概念を示す図である。図１２は、観察者が表示面に対して前後方向に近づいた場合の、バリア部の制御方法の一例を示す図である。図１３は、観察者が表示面に対して前後方向に離れた場合の、バリア部の制御方法の一例を示す図である。なお、図１１〜図１３では、観察者Ｕ１が、表示部４の表示面４Ｓの中央に位置すると仮定して示している。
【００３６】
まず、撮像部８により取得した画像データから、制御部７の外部若しくは内部に備えられた位置情報取得手段は、観察者の視認位置を検出する（ステップＳ１０）。観察者の視認位置は、観察者Ｕ１の右眼・左眼の位置等から特定可能な顔に関する位置（例えば、右眼ＲＥと左眼ＬＥの中央位置）を示す。位置情報取得手段は、例えば表示部４の表示面４Ｓの中央を原点として、視認位置のＸＹＺ座標を算出する。続いて、制御部７は、観察者Ｕ１とバリア部６との距離を算出する。例えば、本実施形態では右眼ＲＥと左眼ＬＥの位置の中央位置とバリア部６との間の、表示面に対して鉛直方向の距離を算出する。
【００３７】
次に、ステップＳ１０で算出した観察者Ｕ１とバリア部６までの距離からバリアピッチと個数とを決定する（ステップＳ２０）。ここで、観察者が表示部４に表示される画像を視認する際の、観察者Ｕ１とバリア部６との間の適切な距離を、適視距離Ｄとする。制御部７はあらかじめ適視距離Ｄを記憶しておく。図１１の初期状態Ｒ１は、観察者Ｕ１が基準位置に位置する場合の、観察者Ｕ１と表示装置１との位置関係を模式的に示す説明図である。また、図１２（Ａ）は、観察者Ｕ１が基準位置に位置する場合（初期状態Ｒ１）の、バリア部６と表示部４との模式断面図である。
【００３８】
ここで、基準位置とは、例えば、図１２（Ａ）に示すように、バリア部６の透過領域６１を一定のバリアピッチ６５で配置したときに、クロストークの発生がなく、観察者が良好に表示部４の表示画像を三次元画像として視認できる位置である。適視距離Ｄとは、基準位置に位置する観察者Ｕ１とバリア部６との間の、表示面４Ｓに対して垂直方向（Ｚ方向）の距離である。
【００３９】
制御部７は、観察者Ｕ１が基準位置に位置する場合のバリアピッチＸ１を、次の式（１）で算出する。ここで、ｐは画素５０の画素ピッチであり、Ｅは眼間処理（観察者の右眼ＲＥと左眼ＬＥとの距離）である。
【００４０】
Ｘ１＝２ｐＥ／（ｐ＋Ｅ）  ・・・（１）
【００４１】
図１１の状態Ｒ２は、観察者Ｕ１が、基準位置から表示部４側に適視距離Ｄよりも距離ｄだけ近づいた場合の、観察者Ｕ１と表示装置１との位置関係を模式的に示す説明図である。また、図１２（Ｂ）は、観察者Ｕ１が、基準位置から表示部４側に適視距離Ｄよりも距離ｄだけ近づいた場合（状態Ｒ２）の、バリア部６と表示部４との模式断面図である。制御部７は位置情報取得手段から、観察者Ｕ１の位置情報として、基準位置と観察者Ｕ１の位置との間の、表示面４Ｓに対して垂直方向（Ｚ方向）の距離ｄを取得する。観察者Ｕ１が、基準位置から表示部４側に距離ｄだけ近づいた場合の、バリアピッチＸ２を、次の式（２）から算出する。
【００４２】
Ｘ２＝２ｐＥ／（ｐＤ／（Ｄ−ｄ）＋Ｅ）  ・・・（２）
【００４３】
そして、制御部７は、バリアピッチＸ２のずれの累積Ｘａを式（３）から算出する。バリアピッチＸ２のずれの累積Ｘａとは、観察者Ｕ１が基準位置に位置する場合のバリアピッチＸ１と、距離ｄだけ近づいたときのバリアピッチＸ２との差分（Ｘ２−Ｘ１）に、バリアの個数Ｂ（透過領域６１の個数）を乗じた値である。
【００４４】
Ｘａ＝（Ｘ２−Ｘ１）×Ｂ  ・・・（３）
【００４５】
制御部７は、バリアピッチＸ２のずれの累積Ｘａと、図２に示す第１の電極１２２の１本分の幅（単位領域６０の幅）との比較を行う。制御部７は、次の式（４）を満たす最大のｎ１（但し、ｎ１＝１、２、・・・、Ｎ）を算出する。なお、Ｗは、第１の電極１２２の１本分の幅（単位領域６０の幅）である。
【００４６】
Ｘａ＞ｎ１×Ｗ  ・・・（４）
【００４７】
ｎ１＝１の場合、すなわち、バリアピッチＸ２のずれの累積Ｘａが、１本分の第１の電極１２２の幅Ｗより大きい値となった場合、図１２（Ｂ）に示すように、制御部７は、バリア部６の中央に位置するバリアピッチ６５ａを短くする。具体的には、制御部７は、図１２（Ｂ）に示す単位領域６０ａを非透過領域６２から透過領域６１に切り換えて、複数の非透過領域６２及び複数の透過領域６１のうち１つの非透過領域６２ａの幅を小さくする。そして、幅を小さくした非透過領域６２ａよりもＸ方向に位置する透過領域６１及び非透過領域６２を、矢印Ａに示す幅の変化量（１つの単位領域６０）分だけシフトさせる。また、Ｘ方向の最も外側に位置する単位領域６０Ｎは非透過領域６２とする。
【００４８】
ｎ１＝１の場合、中央部のバリアピッチ６５ａが短くなり、バリアピッチ６５ａ以外は、等しいバリアピッチ６５が連続している。幅が短くなったバリアピッチ６５ａの幅は、５つの単位領域６０の幅を有し、バリアピッチ６５ａと隣り合うバリアピッチ６５よりも１つの単位領域６０が少ない。バリアピッチ６５ａは、２つの単位領域６０を有する非透過領域６２と、２つの単位領域６０を有する透過領域６１と、１つの単位領域６０を有する非透過領域６２とを備える。つまり、バリアピッチ６５ａにおいて、透過領域６１を挟む２つの非透過領域６２、６２は、単位領域６０の個数が異なり、異なる幅で形成される。これに対し、バリアピッチ６５ａと隣り合うバリアピッチ６５は、透過領域６１を挟む２つの非透過領域６２、６２は、それぞれ２つの単位領域６０を有し、等しい幅を有する。
【００４９】
また、観察者Ｕ１が基準位置からさらに表示部４側に近づいて、バリアピッチＸ２のずれの累積Ｘａが第１の電極１２２の２本分の幅より大きい値となった場合には、上述した式（４）からｎ１＝２が算出される。ｎ１＝２が算出された場合、制御部７は、図１２（Ｃ）に示すように、短くするバリアピッチ６５ａの個数を２つに決定する。短くするバリアピッチ６５ａが複数の場合、バリアピッチ６５ａがＸ方向において均等に配置されてもよい。例えば、バリア部６の中央部を挟んで対称となるように、複数のバリアピッチ６５ａが配置される。
【００５０】
図１２（Ｃ）に示すように、２つのバリアピッチ６５ａ、６５ａは、それぞれ５つの単位領域６０を有する。２つのバリアピッチ６５ａ、６５ａの間は、６つの単位領域６０を有するバリアピッチ６５である。また２つのバリアピッチ６５ａ、６５ａの外側は、６つの単位領域６０を有するバリアピッチ６５が連続する。
【００５１】
図１２（Ｃ）に示すように、制御部７は、２つの単位領域６０ｂ、６０ｃについて、非透過領域６２から透過領域６１に切り換えて、複数の非透過領域６２及び複数の透過領域６１のうち２つの非透過領域６２ａ、６２ａの幅を小さくする。そして、制御部７は、幅を小さくした非透過領域６２ａ、６２ａよりもＸ方向の外側に位置する透過領域６１及び非透過領域６２を、矢印Ｂ、Ｃに示す幅の変化量（１つの単位領域６０）分だけ中央側にシフトさせる。また、Ｘ方向の最も外側に位置する２つの単位領域６０１、６０Ｎは非透過領域６２とする。
【００５２】
さらに観察者Ｕ１が近づいた場合、制御部７は、式（４）から求められるｎ１の数に応じた個数の単位領域６０について透過領域６１と非透過領域６２とを切り換えて、短くするバリアピッチ６５ａの個数を３以上に増やす。複数の短いバリアピッチ６５ａを配置する場合、複数の短いバリアピッチ６５ａがＸ方向において均等に配置されてもよい。この場合、複数の短いバリアピッチ６５ａが等間隔に配置されるとより好ましい。より具体的には、隣り合う短いバリアピッチ６５ａ同士の間の、幅が変化しないバリアピッチ６５の個数の差が所定の値以下、例えば、０又は１となるように、複数の短いバリアピッチ６５ａが配置されてもよい。又は、隣り合う短いバリアピッチ６５ａ同士の間、及び最も外側のバリアピッチ６５ａとバリア部６の端部との間の、幅が変化しないバリアピッチ６５の個数の差が所定の値以下、例えば、０又は１となるように、複数の短いバリアピッチ６５ａが配置されてもよい。
【００５３】
以上のように、表示装置１の表示面４Ｓに対して観察者Ｕ１の前後方向の視点位置が近づいた場合に、制御部７は、短くするバリアピッチ６５ａの個数ｎ１を算出する。そして、制御部７は、ｎ１に対応する数のバリアピッチ６５を短くして透過領域６１及び非透過領域６２の位置が最適化される。したがって、クロストークの発生を抑制して立体視が可能な前後方向の範囲が拡大する。
【００５４】
次に、観察者Ｕ１が表示部４から基準位置よりも離れる場合のバリア部６の制御方法について説明する。図１１の状態Ｒ３は、観察者Ｕ１が、表示部４に対して適視距離Ｄよりも距離ｄだけ離れた場合の、観察者Ｕ１と表示装置１との位置関係を模式的に示す説明図である。また、図１３（Ａ）は、観察者Ｕ１が基準位置に位置する場合（初期状態Ｒ１）の、バリア部６と表示部４との模式断面図である。図１３（Ｂ）は、観察者Ｕ１が、表示部４に対して適視距離Ｄよりも距離ｄだけ離れた場合の、バリア部６と表示部４との模式断面図である。まず、制御部７は、観察者Ｕ１が、表示部４に対して基準位置よりも距離ｄだけ離れた場合の、バリアピッチＸ３を、次の式（５）から算出する。
【００５５】
Ｘ３＝２ｐＥ／（ｐＤ／（Ｄ＋ｄ）＋Ｅ）  ・・・（５）
【００５６】
そして、制御部７は、バリアピッチＸ３のずれの累積Ｘｂを式（６）から算出する。ただし、Ｂはバリアの個数（透過領域６１の個数）である。
【００５７】
Ｘｂ＝（Ｘ１−Ｘ３）×Ｂ  ・・・（６）
【００５８】
制御部７は、バリアピッチＸ３のずれの累積Ｘｂと、図２に示す第１の電極１２２の１本分の幅（単位領域６０の幅）との比較を行う。制御部７は、次の式（７）を満たす最大のｎ２（但し、ｎ２＝１、２、・・・、Ｎ）を算出する。なお、Ｗは、第１の電極１２２の１本分の幅（単位領域６０の幅）である。
【００５９】
Ｘｂ＞ｎ２×Ｗ  ・・・（７）
【００６０】
ｎ２＝１の場合、つまり、バリアピッチＸ３のずれの累積Ｘｂが、図２に示す第１の電極１２２の１本分の幅Ｗより大きい値となった場合、図１３（Ｂ）に示すように、制御部７は、バリア部６の中央に位置するバリアピッチ６５ｂを長くする。具体的には、図１３（Ｂ）に示す単位領域６０ｄを透過領域６１から非透過領域６２に切り換えて、非透過領域６２ａの幅を大きくする。そして、制御部７は、幅を大きくした非透過領域６２ａよりもＸ方向に位置する透過領域６１及び非透過領域６２を、矢印Ｆに示す幅の変化量（１つの単位領域６０）分だけシフトさせる。本実施形態では、図１３（Ｂ）に示すように、Ｘ方向において最も外側に位置する単位領域６０Ｎは非透過領域６２となる。
【００６１】
ｎ２＝１の場合、バリア部６の中央部のみ幅が長いバリアピッチ６５ｂであり、バリアピッチ６５ｂ以外は、等しいバリアピッチ６５が繰り返し連続する。バリアピッチ６５ｂは、バリアピッチ６５よりも１つの単位領域６０を多く有している。バリアピッチ６５ｂは、２つの単位領域６０を有する透過領域６１と、異なる数の単位領域６０を有する２つの非透過領域６２、６２とを有する。
【００６２】
また、観察者Ｕ１がさらに表示部４から離れて、式（５）から算出したＸｂが第１の電極１２２の２本分の幅より大きい値となった場合には、上述した式（７）からｎ２＝２が算出される。この場合、長くするバリアピッチ６５ｂの個数を２つにする。長くするバリアピッチ６５ｂが複数の場合、図１３（Ｃ）に示すように、バリアピッチ６５ｂがＸ方向において均等に配置されてもよい。例えば、バリア部６の中央部を挟んで対照となるように、複数のバリアピッチ６５ｂが配置される。また、複数の長いバリアピッチ６５ｂが等間隔に配置されるとより好ましい。
【００６３】
具体的には、図１３（Ｃ）に示すように、制御部７は、２つの単位領域６０ｅ、６０ｆについて、透過領域６１から非透過領域６２に切り換えて、２つの非透過領域６２ｂ、６２ｂの幅を大きくする。そして、制御部７は、幅を大きくした非透過領域６２ｂ、６２ｂよりも外側に位置する透過領域６１及び非透過領域６２を、矢印Ｇ、Ｈに示す幅の変化量（１つの単位領域６０）分だけそれぞれ外側にシフトさせる。また、Ｘ方向において最も外側に位置する２つの単位領域６０１、６０Ｎは非透過領域６２とする。
【００６４】
ｎ２＝２の場合、２つのバリアピッチ６５ｂ、６５ｂの間は、６つの単位領域６０を有するバリアピッチ６５である。また、２つのバリアピッチ６５ｂ、６５ｂの外側も６つの単位領域６０を有するバリアピッチ６５である。ただし、透過領域６１及び非透過領域６２をシフトさせた結果、最も外側に位置する２つのバリアピッチ６５ｃの幅は短くなる。
【００６５】
さらに観察者Ｕ１が離れた場合、制御部７は、式（７）から求められるｎ２の数に応じた個数の単位領域６０について透過領域６１と非透過領域６２とを切り換えて、長くするバリアピッチ６５ｂの個数を増やす。なお、透過領域６１及び非透過領域６２を外側にシフトさせた結果、最も外側に位置する２つの単位領域６０１、６０Ｎが透過領域６１となる場合があるが、制御部７は、単位領域６０１、６０Ｎは常に非透過領域６２として固定してもよい。
【００６６】
このようにして、表示装置１の表示面４Ｓに対して観察者Ｕ１の前後方向の視点位置が基準位置よりも離れた場合に、制御部７は、長くするバリアピッチ６５ｂの個数ｎ２を算出する。そして、制御部７は、ｎ２に対応する数のバリアピッチ６５を長くして透過領域６１及び非透過領域６２の位置が最適化される。したがって、クロストークの発生を抑制して立体視が可能な前後方向の範囲が拡大する。
【００６７】
なお、バリアピッチを長くし、または、最も外側に位置する単位領域６０１、６０Ｎを非透過領域６２とすることによって、透過領域６１が減少した場合、観察者に視認される表示画像の輝度を保つために照明部２の輝度を大きくしてもよい。この場合において、バリア部６の切り換え制御、若しくは表示部４の切り換え制御の前後において、照明部２の輝度が変更される。
【００６８】
以上のように、制御部７は、位置情報取得手段から得られた観察者Ｕ１のＺ方向の位置情報に基づいて、バリアピッチ６５のずれの累積Ｘａ、Ｘｂを、第１の電極１２２の１本分の幅Ｗと比較して、幅を変化させるバリアピッチ６５の個数ｎ１、ｎ２を決定する。制御部７は、決定したバリアピッチ６５の個数ｎ１、ｎ２に対応する数のバリアピッチ６５の幅を変更する。具体的には、複数の透過領域６１のうち一部の透過領域６１、又は複数の非透過領域６２のうち一部の非透過領域６２の幅を、単位領域６０単位で変更する。なお、制御部７は、バリアピッチ６５の一部の幅を変更するとともに、表示部４の表示画像を制御して、左眼用画像Ｐ１と右眼用画像Ｐ２とを切り換えることも可能である。
【００６９】
これにより、表示装置１の表示面４Ｓに対する観察者Ｕ１の前後方向の視点位置の変動に対して、バリアピッチ６５の一部だけ変更して透過領域６１及び非透過領域６２の位置が最適化される。したがって、クロストークの発生を抑制して立体視が可能な前後方向の範囲が拡大する。また、複数の透過領域６１が均等に変化する場合に比べて、単位領域６０ごとに透過領域６１又は非透過領域６２の幅の一部を変更可能であるため、バリア部６の透過領域６１及び非透過領域６２の位置を精度よく制御することができる。したがって、クロストークの発生が確実に抑制される。さらに、開口率（バリア部６全体に対する透過領域６１の割合）の変化が低減されるため、表示部４の表示画像の制御や、照明部２の制御を省略することも可能である。
【００７０】
次に、図１０に示すように、制御部７は、位置情報取得手段から得られた観察者Ｕ１のＸＹ座標から、透過領域６１の位置（バリア開口位置）を決定する（ステップＳ３０）。図１１〜図１３では、観察者Ｕ１が、表示部４の表示画面の中央に位置すると仮定して説明したが、観察者Ｕ１のＸＹ座標に応じて、透過領域６１の位置（バリア開口位置）を決定する。図１４は、バリア部の透光領域の制御方法を模式的に説明するための説明図である。位置情報取得手段は、観察者Ｕ１のＸＹＺ座標から、バリア部６の中央部からの角度θを算出する。制御部７は、位置情報取得手段から観察者Ｕ１の位置情報としてＸＹＺ座標及び角度θを取得する。バリアピッチ６５の一部を短くした場合、又は長くした場合において、観察者Ｕ１の角度θの情報に応じて、制御部７は、透過領域６１及び非透過領域６２を全体にシフトする。透過領域６１及び非透過領域６２の位置は、左眼用画像Ｐ１が左眼ＬＥに視認され、右眼用画像Ｐ２が右眼ＲＥに視認されるように決定される。これにより、本実施形態の表示装置１は、観察者Ｕ１のＸＹ方向の移動に対しても、クロストークの発生を抑制して良好に三次元画像を視認させることができる。
【００７１】
以上のように、表示装置１の表示面４Ｓに対する観察者Ｕ１の前後方向（Ｚ方向）の視点位置の変動に対して、バリアピッチ６５の一部を変更して透過領域６１及び非透過領域６２の位置を最適化するとともに、観察者Ｕ１の上下左右方向（ＸＹ方向）の視点位置の変動に対して、非透過領域６２の位置を最適化して、各バリアピッチ６５をシフトする。したがって、クロストークの発生を抑制して立体視が可能な前後方向の範囲が拡大する。
【００７２】
図１５は、バリア部を駆動する駆動部の機能構成の一例を示すブロック図である。図１５に示すように、駆動部９は、制御部７からの駆動信号を受け取るシフトレジスタ９１と、シフトレジスタからの信号を順次記憶する１ｓｔラッチ９２、２ｎｄラッチ９３と、バリア部６の駆動信号を一時的に蓄積してバリア部６に出力するバッファ９４とを有する。制御部７は、観察者Ｕ１の位置情報（ＸＹＺ座標）に基づいて、図２に示す複数の第１の電極１２２のそれぞれについて、透過領域６１と非透過領域６２とを切り換える／又は切り換えない駆動信号を順次出力する。第１の電極１２２の位置情報と、駆動信号とを２つのラッチ（１ｓｔラッチ９２、２ｎｄラッチ９３）がまとめて記憶し、バッファ９４が時間差を吸収してバリア部６に駆動信号を出力する。
【００７３】
これにより、駆動部９は、複数の第１の電極１２２のそれぞれに対応する単位領域６０１〜６０Ｎについて、時間差を低減して駆動することができる。
【００７４】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【００７５】
例えば、本実施形態において、表示装置１の表示部４として液晶パネルを示したが、これに限定されず、例えば、有機エレクトロルミネッセンス（Ｏｒｇａｎｉｃ  Ｅｌｅｃｔｒｏ−Ｌｕｍｉｎｅｓｃｅｎｃｅ：ＯＥＬ）ディスプレイ、ＭＥＭＳ（Ｍｉｃｒｏ  Ｅｌｅｃｔｒｏ  Ｍｅｃｈａｎｉｃａｌ  Ｓｙｓｔｅｍ）などがある。
【００７６】
また、図２に示す第１の電極１２２の幅や、図１２等に示す単位領域６０の幅は、模式的に示したものであり、本実施形態に限定されない。一つのバリアピッチ６５の単位領域６０の数、透過領域６１及び非透過領域６２の単位領域６０の数は、限定されるものではない。例えば、第１の電極１２２の幅が小さい場合、各単位領域６０の幅が小さくなる。そのため、バリアピッチ６５を維持する場合、各透過領域６１及び各非透過領域６２の単位領域６０の数が多くなる。よって、観察者Ｕ１の前後方向の移動に対して、より精度よくバリア部６の制御が可能となる。この場合、開口率の変化による輝度の増減が確実に抑制される。
【符号の説明】
【００７７】
１  表示装置
２  照明部
４  表示部
６  バリア部
７  制御部
８  撮像部
９  駆動部
２０  画素基板
２１  ＴＦＴ基板
２２  画素電極
３０  対向基板
３１  ガラス基板
３２  カラーフィルタ
４０  液晶層
４２  接着層
５０  画素
６０  単位領域
６１  透過領域
６２、６２ａ、６２ｂ  非透過領域
６５、６５ａ、６５ｂ  バリアピッチ
１２１  第１の基板
１２２  第１の電極
１３１  第２の基板
１３３  第２の電極
１６０  液晶層
【図１】
0006411257.tif 000002
【図２】
0006411257.tif 000003
【図３】
0006411257.tif 000004
【図４】
0006411257.tif 000005
【図５】
0006411257.tif 000006
【図６】
0006411257.tif 000007
【図７】
0006411257.tif 000008
【図８】
0006411257.tif 000009
【図９】
0006411257.tif 000010
【図１０】
0006411257.tif 000011
【図１１】
0006411257.tif 000012
【図１２】
0006411257.tif 000013
【図１３】
0006411257.tif 000014
【図１４】
0006411257.tif 000015
【図１５】
0006411257.tif 000016